(57)【特許請求の範囲】
【請求項１】
鍵穴を備えた使用者特定プレートと、鍵穴を備えた使用キー特定プレートと、挿入される使用者特定プレートの押し下げでバネに抗して降下する第１のプレート受け体と、挿入される使用キー特定プレートの押し下げでバネに抗して降下する第２のプレート受け体と、第１、第２のプレート受け体間に横わたし状に配備され、第１のプレート受け体の作動斜面部に対応する第１の突状鍵及び第２のプレート受け体の作動斜面部に対応する第２の突状鍵を備える横木状スライダーとからなり、使用キー特定プレートの鍵穴に横木状スライダーの第２の突状鍵が嵌入した施錠状態のもとで、使用者特定プレートを挿入し第１のプレート受け体を押し下げることで第１のプレート受け体の作動斜面部に接面する第１の突状鍵の斜面部が押圧され横木状スライダーが水平移動して、第２の突状鍵の斜面部が第２のプレート受け体の作動斜面部に接面して開錠すると同時に、第１の突状鍵が使用者特定プレートの鍵穴に嵌入して施錠することを特徴とするキー管理装置。
【請求項２】
前記鍵穴を備えた使用者特定プレートは、個人名や電話番号等を記載した特定札を備えたものであり、上記鍵穴を備えた使用キー特定プレートは車番号を記載した特定札及び車のキーを備えたものであることを特徴とする請求項１記載のキー管理装置。
【請求項３】
前記使用者特定プレートと使用キー特定プレートの各鍵穴に山型係合部を設けると共に、前記第１の突状鍵及び第２の突状鍵に山型係合部に係脱する係合凹み部を設け、施錠状態において山型係合部と係合凹み部が係合するようにしたことを特徴とする請求項１記載のキー管理装置。
【発明の詳細な説明】
【技術分野】
【０００１】
この発明は、各種団体例えば会社内、病院内或いは学校内等において使用される各種キーが現在、何人によって使用中であるか否か等の使用状況を一見して認識し得るキー管理装置に関する。
【背景技術】
【０００２】
図１１は、従来のキー管理装置を示す断面図である。
このキー管理装置は、背中合わせに配した二つの略Ｌ字型レバー７１、７２と、レバー７１，７２の重合コーナー部を枢支するピン７３と、各レバー７１、７２の水平部の水平状態を保持するスプリング７４、７５とから成る。レバー７１（７２）の垂直部の先端には鈎７６（７７）を前方へ突設し、且つ水平部の先端には突起体７８（７９）を上方へ突設している。
【０００３】
図１１では、自動車キー８７のついた車番札８１は、カード挿込穴８２内において、鈎７６が車番札８１の鈎穴８３に係合しロック状態にある。ここで、個人を特定するネーム札８４をカード挿込穴８５に挿入すると、ネーム札８４の下端が突起体７８をスプリング７４に抗して押し下げる。これにより、レバー７１が時計回りに回動し、鈎７６が鈎穴８３から脱出しロックが解除する。
【０００４】
この鈎７６の脱出と同時に、スプリング７５力でレバー７２が現状へ復帰する。つまり、突起体７９と車番札８１が押し上げられる一方、鈎７７が鈎穴８６に係合しネーム札８４がロックされる。従って、いずれか一方の札８１、８４が必ずロックされるから、特定の車の使用者が一見して明瞭に認識し得る。
【特許文献１】実公昭５８−４７５０９号公報
【発明の開示】
【発明が解決しようとする課題】
【０００５】
上記キー管理装置は、スプリングのバネ力による所謂シーソー方式のものである。従って、開錠及び施錠はスプリングのバネ力に拠るため、ロック状態が極めて弱い。例えば、ロックされているネーム札を強く引っ張り上げると、バネに抗してレバ−が回動しロックが外れる、或いは弱いピンが毀損し使用不可となる虞がある。
【０００６】
また、ロック状態の保持力を増すためにスプリングのバネ力を強く設定するとレバー（鈎）に大きな負担がかかる許かりでなく、ネーム札（車番札）の挿入操作に力を要し使用がってが頗る悪くなる。
【０００７】
更に、この装置はバネによるシーソー方式であるため、いずれか一方のスプリングに下方向への押圧力（圧縮力) が常時、作用する結果、バネ力が劣化し易く使用不可となる虞があり、耐久性に問題がある等、幾多の不利があった。
【０００８】
一方、近年、ロックの強度性及び装置の耐久性を確保するため、キーの固定および解除をなす固定手段の作動を、各検出器からの検出信号に基づき制御装置によって電子的に制御する方式のものが提案されている（特開２００４−２４４８２２号公報）。しかし、このような装置は、規模が大きい場合に適している反面、構成が複雑で高価なため、小規模な場合には適しない。
【０００９】
この発明は、以上のような課題を解消させ、簡易正確にキーの管理を実行し得ると共に、簡単な構成でキーの強固なロック状態が保持でき、且つカードの挿脱操作が容易で、しかも安価で耐久性の高いキー管理装置を提供することを目的とする。
【課題を解決するための手段】
【００１０】
この目的を達成させるために、この発明のキー管理装置では、次のような構成としている。
キー管理装置は、鍵穴を備えた使用者特定プレートと、鍵穴を備えた使用キー特定プレートと、挿入される使用者特定プレートの押し下げでバネに抗して降下する第１のプレート受け体と、挿入される使用キー特定プレートの押し下げでバネに抗して降下する第２のプレート受け体と、第１、第２のプレート受け体間に横わたし状に配備され、第１のプレート受け体の作動斜面部に対応する第１の突状鍵及び第２のプレート受け体の作動斜面部に対応する第２の突状鍵を備える横木状スライダーとからなり、使用キー特定プレートの鍵穴に横木状スタイダーの第２の突状鍵が嵌入した施錠状態のもとで、使用者特定プレートを挿入し第１のプレート受け体を押し下げることで第１のプレート受け体の作動斜面部に接面する第１の突状鍵の斜面部が押圧され横木状スライダーが水平移動して、第２の突状鍵の斜面部が第２のプレート受け体の作動斜面部に接面して開錠すると同時に、第１の突状鍵が使用者特定プレートの鍵穴に嵌入して施錠することを特徴としている。
【発明の効果】
【００１１】
このような構成を有するキー管理装置では、使用キー特定プレートの鍵穴に横木状スタイダーの第２の突状鍵が嵌入した施錠状態のもとで、使用者特定プレートを挿入し第１のプレート受け体を押し下げることで第１のプレート受け体の作動斜面部に接面する第１の突状鍵の斜面部が押圧され横木状スライダーが水平移動して、第２の突状鍵の斜面部が第２のプレート受け体の作動斜面部に接面して開錠すると同時に、第１の突状鍵が使用者特定プレートの鍵穴に嵌入して施錠することとしたから、いずれか一方の特定プレートが必ずロックされる。従って、使用中のキーの特定および使用者の特定が一見して明瞭に認識し得、合理的なキーの管理が実現できる。
【００１２】
また、使用キー特定プレート及び使用者特定プレートの施錠及び開錠は、横木状スライダーが左右方向へ水平移動して、突状鍵を鍵穴に対し嵌脱することで実行するから、施錠されている特定プレートを上方へ強く引っ張っても開錠する虞が全くなく、簡易な構成で強固なロック状態を保持し得る。
【００１３】
更に、バネ付勢された各プレート受け体は、特定プレートの押し下げで降下し、横木状スライダーを移動させたのちは、直ちに原状位置へバネ復帰する。従って、開錠状態においても施錠状態においてもバネに圧縮力が全くかからないから、バネ力の劣化が少なく耐久性を向上し得る。
【００１４】
また、施錠状態において、突状鍵の係合凹み部と鍵穴の凸型係合部とを係合させることとしたから、横木状スライダーを移動させる際は突状鍵（係合凹み部）が凸型係合部を乗り越えるだけの力が必要となる。これにより、意に反する横木状スライダーの移動は阻止され、強固な施錠状態を確保し得る等、発明目的を達成した優れた効果を有する。
【発明を実施するための最良の形態】
【００１５】
以下、図面に基づき本発明に係るキー管理装置の具体的な実施の形態を説明する。
図１は、キー管理装置の分離斜視図である。
キー管理装置は、使用者特定プレートＡと、使用キー特定プレートＢと、使用者特定プレートＡを挿入する第１のプレート受け体１と、使用キー特定プレートＢを挿入する第２のプレート受け体２と、第１及び第２のプレート受け体１、２間に横わたし状に配備される横木状スライダー３と、横木状スライダー３をスライド用窓孔４３に配備する内ケース４と、内ケース４を嵌着する外ケース５とから成る。
【００１６】
使用者特定プレートＡは、例えば個人名・携帯電話番号等が記載された特定札Ａ４（図１０参照）を備えた長方形の平板で、両側面の先端部の食い違い位置に凹み状の鍵穴Ａ１を設けている。また、平板の表裏面にそれぞれガイド溝Ａ２が形成してある。この使用者特定プレートＡは、例えば社内の各種キーを使用する社員がそれぞれ保有している。
【００１７】
使用キー特定プレートＢは、例えば車の車番号を記載した特定札Ｂ４及び車のキーＢ５（図１０参照）を備えた長方形の平板で、両側面部の先端部の食い違い位置に凹み状の鍵穴Ｂ１を設けている。また、平板の表裏面にそれぞれガイド溝Ｂ２が形成してある。この使用キー特定プレートＢは、通常は後述する横木状スタイダー３の第２の突状鍵３３が鍵穴Ｂ１に嵌入し施錠された状態にある。
【００１８】
上記第１のプレート受け体１及び第２のプレート受け体２は、図２で示すように、矩形状平板の一側辺側に前面を開口した箱状外嵌部１２（２２）を設け、この外嵌部１２（２２）の下部に一側辺側から内向きに上方へ斜め傾斜する作動斜面部を１３（２３）を設けている。
【００１９】
更に、この作動斜面部１３（２３）の下部に所定間隔開いて水平のピン台１４ａ（２４ａ）から固定ピン１４（２４）を突設し、コイルスプリング１５（２５）の基端を止着している。
【００２０】
更に、他側辺側には立上り側壁１１ａ（２１ａ）を設け、この立上り側壁１１ａ（２１ａ）と、上記外嵌部１２（２２）の内側壁１２ａ（２２ａ）とで囲まれる面内をプレート挿入部１１（２１）としている。プレート挿入部１１（２１）の下部、つまり立上り側壁１１ａ（２１ａ）と、内側壁１２ａ（２２ａ）に連続する延長下壁１２ｂ（２２ｂ）の各下端部に、内向きに屈曲した掛止部１１ｂ（２１ｂ）を設けている。
【００２１】
前記横木状スライダー３は、横長の矩形平板３１で、上記作動斜面部１３に対応する第１の突状鍵３２と、作動斜面部２３に対応する第２の突状鍵３３とを備えている。更に、矩形平板３１の下端中央部には下開口の切欠き状の凹み部３４が形成してある。
【００２２】
各突状鍵３２（３３）は、平板３１の前面から前方へ一定厚み突出させた山型状の突状体で、頂部から左右に下方向へ傾斜する斜面部３２ａ（３３ａ）を設けている。また、各突状鍵３２（３３）の底面には、中央部を窪ませた逆山型、つまり係合凹み部３２ｂ（３３ｂ）を形成してあり、施錠時に上記特定プレートＡ（Ｂ）の凹状の鍵穴Ａ１（Ｂ１）の底部中央に設けた山型係合部Ａ３（Ｂ３）に掛止するように設定している。
【００２３】
上記内ケース４は、傾斜前面板部４１と、垂直状側板４６、４６と前方へ突出する底板部４８からなる。傾斜前面板部４１の面内には、上記外嵌部１２（２２）が嵌合する箱状の内嵌部４２（４２ａ）が設けられ、この内嵌部４２（４２ａ）の下方に横長のスライド用窓孔４３が形成してある。
【００２４】
図３で示すように、横木状スライダー３はスライド用窓孔４３に嵌め込まれた状態において、窓孔４３内で左右方向へ水平移動可能である。横木状スライダー３が最も左方向へ移動したとき、つまり使用キー特定プレートＢが施錠状態のとき（図６参照）、横木状スライダー３の凹み部３４の右端に窓孔４３中央の係合突子４４が当接している。
【００２５】
図４で示すように、上記第１のプレート受け体１と第２のプレート受け体２は、外嵌部１２（２２）の外側面を接面状にして内ケース４の内嵌部４２（４２ａ）に外嵌する。更に、プレート受け体１（２）のコイルスプリング１５（２５）の端部を固定ピン４５（４５ａ）に止着し、各プレート受け体１（２）を上方へバネ付勢している。
【００２６】
この状態で、外ケース５の両側板の位置決め部５３ａと係合孔５３に対し、内ケース４の位置決めガイド４７ａと係合爪４７とをそれぞれ係合させ、一体に組み付け固定する（図５参照）。
【００２７】
図４及び図５で示すように、外ケース（本体ケース）５は、裏面開口の箱状で、前面の傾斜突出部に使用者特定プレートＡの挿脱口５１と、使用キー特定プレートＢの挿脱口５２が開口している。この挿脱口５１（５２）には、二つの案内突子５１ａ（５２ａ）を食い違い位置に突設し、特定プレートＡ（Ｂ）のガイド溝Ａ２（Ｂ２）に嵌め合せることで挿入操作の容易を企図している。
【００２８】
このような構成を有するキー管理装置では、図５で示す組み付け固定した装置本体を複数、図１０で示すように扉６３付きキーボックス６の前面パネル６１の複数の嵌合孔６２に嵌着する。つまり、外ケース５の前面部（挿脱口５１，５２）が露出した状態で外ケース５の天板の取付け片５４で固定して使用される。
【００２９】
図６は、例えば車のキーを装備した使用キー特定プレートＢが施錠されている状態を示す説明図である。つまり、横木状スライダー３が最も左へスライド移動し（図３参照）、第２の突状鍵３３が使用キー特定プレートＢの凹み状の鍵穴Ｂ１に嵌入し施錠されている。更に、鍵穴Ｂ１の凸型係合部Ｂ３と係合凹み部３３ｂとが係合し、横木状スライダー３の移動が規制されている。
【００３０】
この状態において、第１の突状鍵３２の斜面部３２ａと作動斜面部１３は接面している。いま、当該車両を使用しようとする者が、自ら保有する使用者特定プレート１を挿入口５１に挿入する。図７で示すように、使用者特定プレート１の先端が第１のプレート受け体１の掛止部１１ｂに当接したあと、更にこの特定プレート１を押し下げると、コイルスプリング１５に抗して第１のプレート受け体１が降下する。
【００３１】
このプレート受け体１の降下によって、外嵌部１２の作動斜面部１３が接面する斜面部３２ａを押圧することで、横木状スライダー３が右方向へ移動、つまり、第１のプレート受け体１側へ移動する。
【００３２】
図８で示すように、更に使用者特定プレートＡを押し下げ、バネに抗して降下する第１のプレート受け体１の掛止部１１ｂが内ケース４の底板部４８に当接するとき、横木状スライダー３は最も右方向へ移動して停止する。ここにおいて、第２の突状鍵３３の斜面部３３ａが作動斜面部２３に接面して使用キー特定プレートＢが開錠されると同時に第１の突状鍵３２が凹み状鍵穴Ａ１に嵌入する。
【００３３】
同時に図９で示すように、使用者特定プレートＡの押し下げを止めると、圧縮されていたコイルスプリング１５が開放され、第１のプレート受け体１が原状位置へ上昇復帰し、凹み状の鍵穴Ａ１の凸型係合部Ａ３が第１の突状鍵３２の係合凹み部３２ｂに係合し、使用者特定プレート１が完全に施錠される。
【図面の簡単な説明】
【００３４】
【図１】実施の形態のキー管理装置を示す分離斜視図である。
【図２】プレート受け体とスプリングの関係を示す斜視図である。
【図３】内ケースと横木状スライダーの嵌合状態を示す斜視図である。
【図４】プレート受け体を取付けた内ケースと外ケースとの関係を示す斜視図である。
【図５】内ケースを組み付けた外ケースとプレート受け体との関係を示す斜視図である。
【図６】使用キー特定プレートが施錠された状態のもとで、使用者特定プレートを挿入する状況を示す説明図である。
【図７】横木状スタイダーが移動する状況を示す説明図である。
【図８】使用キー特定プレートが開錠され引き出す状態を示す説明図である。
【図９】使用者特定キーが施錠された状態を示す説明図である。
【図１０】複数のキー管理装置がキーボックスに装備された状態を示す斜視図である。
【図１１】従来のキー管理装置を示す断面図である。
【符号の説明】
【００３５】
Ａ      使用者特定プレート
Ｂ      使用キー特定プレート
１      第１のプレート受け体
２      第２のプレート受け体
３      横木状スライダー
４      内ケース
５      外ケース
Ａ１    凹み状の鍵穴
Ｂ１    凹み状の鍵穴
Ａ３    凸型係合部
Ｂ３    凸型係合部
１２    外嵌部
１３    作動斜面部
２３    作動斜面部
１５    コイルスプリング
２５    コイルスプリング
３２    第１の突状鍵
３３    第２の突状鍵
４２    内嵌部
４３    スライド用窓孔
５１    使用者特定プレート挿脱口
５２    使用キー特定プレート挿脱口
３２ａ  斜面部
３３ａ  斜面部
３２ｂ  係合凹み部
３３ｂ    係合凹み部
【図１】
0005395988.tif 000002
【図２】
0005395988.tif 000003
【図３】
0005395988.tif 000004
【図４】
0005395988.tif 000005
【図５】
0005395988.tif 000006
【図６】
0005395988.tif 000007
【図７】
0005395988.tif 000008
【図８】
0005395988.tif 000009
【図９】
0005395988.tif 000010
【図１０】
0005395988.tif 000011
【図１１】
0005395988.tif 000012